(57)【要約】　　　（修正有）【課題】　乾燥効果を向上し、乾燥効果を定期に回復することができ、使用寿命を延びることもでき、且つ乾燥した衣服の取り出しが極めて便利である衣服乾燥装置を提供する。【解決手段】　開閉するための上蓋の内部には裏箱体を有し、裏箱体内には脱着自在な物置篭が設けてあり、前記物置篭の一側には、裏箱体に設けたモータの能動素子と噛合うための受動素子が設けてあり、前記モータが物置篭を駆動し回転させて乾燥効果を向上し、なお、前記物置篭は連続に軸接し互いに係合した複数の簡潔な部材から構成されるため、定位効果が極めて安定で丈夫であり、そして開口部に対応する前記物置篭の何れか一の篭蓋は開けられるため、乾燥した衣服の取り出しが極めて便利である。【選択図】  図１
0003099978.tif 000002
【実用新案登録請求の範囲】
【請求項１】
　内部に乾燥設備を設けた本体の上端には上蓋を開閉するための開口部を有し、本体の内部には裏箱体を有する衣服乾燥装置において、
裏箱体の両側の内壁にはそれぞれ受け枠が設けてあり、前記受け枠の上には溝が設けてあり、二受け枠の間に一物置篭が設けてあり、裏箱体の受け枠に近接した側には一モータが設けてあり、前記モータの出力端は裏箱体の内部に挿入して能動素子と接続し、
前記物置篭は、二側板と、複数の篭蓋と、複数の蓋軸と、複数の蓋ハンドルと、から構成され、
前記二側板は、裏箱体の受け枠に応じる箇所には軸接部が設けてあり、裏箱体に設けたモータの能動素子と噛合うように、裏箱体に応じて設けた能動素子の軸接部には受動素子が設けてあり、裏箱体に設けた受け枠の溝に当接し止めるために二側板はそれぞれ軸接部の軸接端を有し、これにより、物置篭は裏箱体と軸接状態を形成し、篭蓋の数量によって二側板の周縁には中空嵌接部が等距離に置いて設けてあり、
前記複数の篭蓋は、網状体を呈し、その一端には軸接部が形成してあり、前記軸接部の中央部には欠け口部が形成してあり、前記欠け口部には係止ブロックが設けてあり、その他端には前記欠け口部に応じる箇所に係合部が設けてあり、前記係合部の両端には軸接耳部が設けてあり、
前記複数の蓋軸は、別々に篭蓋の軸接部内に取り付けられ、前記蓋軸の両端は別々に二側板に設けた中空嵌接部に挿入し定位され、蓋軸の篭蓋に設けた軸接部の欠け口部に位置する箇所は、次の篭蓋に設けた係合部のそれと係合するために設けたものであり、
複数の蓋ハンドルは、手が握れる造形を呈し、前記蓋ハンドルが篭蓋に設けた係合部と係合し定位するために、篭蓋に設けた軸接耳部に応じる箇所に枢転軸が設けてあり、篭蓋に形成された欠け口部で設けた係止ブロックの蓋ハンドルに応じる他端は蓋ハンドルの内側への傾斜角度を制限し定位し、
上記の構成により、前記物置篭が回転できるので衣服を全面に乾燥できるとともに、前記物置篭は裏箱体から脱着自在であり、開口部に対応する前記物置篭の何れか一の篭蓋は開けられるため、使用が極めて便利であることを特徴とする、
　衣服乾燥装置。
【請求項２】
　前記篭蓋に設けた係合部の両側の軸接耳部には、蓋ハンドルの外側への傾斜角度を制限するためのストッパーが設けられていることを特徴とする、請求項１に記載の衣服乾燥装置。
【請求項３】
　前記篭蓋の欠け口部には、蓋ハンドルの内側への傾斜角度を制限するための係止ブロックが設けてあることを特徴とする、請求項１に記載の衣服乾燥装置。
【考案の詳細な説明】
【技術分野】
【０００１】
　この考案は衣服乾燥装置に係り、特に開閉するための上蓋の内部には裏箱体を有し、裏箱体内には脱着自在な物置篭が設けてあり、前記物置篭の一側には、裏箱体に設けたモータの能動素子と噛合うための受動素子が設けてあり、前記モータが物置篭を駆動し回転させて乾燥効果を向上し、なお、前記物置篭は連続に軸接し互いに係合した複数の簡潔な部材から構成され、そうすると、開口部に対応する前記物置篭の何れか一の篭蓋は開けられるため、乾燥した衣服の取り出しが極めて便利な衣服乾燥装置に関する。
【背景技術】
【０００２】
　従来の衣服乾燥装置の仕様は、一般に本体の前面に一ドアを有し、このドアの開閉は横に旋回させる方式である。前記ドアの奥側には、所定の容積を有し乾燥しようとする衣服を収納するためのロールが設けてあり、前記ロールの前記ドアに応じる一端には開口部が形成してあり、前記ロールの他端は本体内に設けたモータの出力軸と軸結している。
従来の衣服乾燥装置の使用方法は、本体に設けたスイッチによりモータを起動させて、衣服を充填したロールを回転し、且つ本体内に設けた乾燥設備により衣服を加熱し、そうすると、ロールに充填された衣服は回転しながら均一に乾燥された。
【考案の開示】
【考案が解決しようとする課題】
【０００３】
　しかしながら、これは次のような欠点があった。
従来の衣服乾燥装置の設計では、ロールの開口が前面に向き且つ横に設置されたので、前記衣服乾燥装置は床板に放置した方が安全であり、使用者は衣服を衣服乾燥装置に入れたり取り出したりするときには、腰を曲げたりしゃがんだりしないと、操作できないので、極めて不便である。そしてロールと本体は分解や取り出しのできない構造なため、一般の使用者は自分で清掃できないので、ロールを長時期に使用するに従って汚れが貯められ、全体の乾燥効果に悪影響が与えられ、乾燥の必要な時間も長く延びられ、電気が無駄に消耗されるため、電気代が高くなった。
【０００４】
　この考案の主な目的は、簡潔な部材から構成され、静止中や回転中にも安定で順調で丈夫な構造により、衣服を確実に乾燥でき、使用が極めて便利になった衣服乾燥装置を提供する。
【課題を解決するための手段】
【０００５】
　上記欠点を解決するためになされた本願の考案は、内部に乾燥設備を設けた本体の上端には上蓋を開閉するための開口部を有し、且つ本体の内部には裏箱体を有する衣服乾燥装置において、裏箱体の両側の内壁にはそれぞれ受け枠が設けており、前記受け枠の上には溝が設けており、且つ二受け枠の間に一物置篭が設けており、なお、裏箱体の受け枠に近接した側には一モータが設けており、前記モータの出力端は裏箱体の内部に挿入して能動素子と接続し、前記物置篭は、二側板と、複数の篭蓋と、複数の蓋軸と、複数の蓋ハンドルと、から構成され、前記二側板は、裏箱体の受け枠に応じる箇所には軸接部が設けており、且つ裏箱体に設けたモータの能動素子と噛合うように、裏箱体に応じて設けた能動素子の軸接部には受動素子が設けており、なお、裏箱体に設けた受け枠の溝に当接し止めるために二側板はそれぞれ軸接部の軸接端を有し、これにより、物置篭は裏箱体と軸接状態を形成し、また、篭蓋の数量によって二側板の周縁には中空嵌接部が等距離に置いて設けており、前記複数の篭蓋は、網状体を呈し、その一端には軸接部が形成しており、前記軸接部の中央部には欠け口部が形成しており、前記欠け口部には係止ブロックが設けており、なお、その他端には前記欠け口部に応じる箇所に係合部が設けており、前記係合部の両端には軸接耳部が設けており、前記複数の蓋軸は、別々に篭蓋の軸接部内に取り付けられ、前記蓋軸の両端は別々に二側板に設けた中空嵌接部に挿入し定位され、なお、蓋軸の篭蓋に設けた軸接部の欠け口部に位置する箇所は、次の篭蓋に設けた係合部のそれと係合するために設けたものであり、複数の蓋ハンドルは、手が握れる造形を呈し、前記蓋ハンドルが篭蓋に設けた係合部と係合し定位するとめに、篭蓋に設けた軸接耳部に応じる箇所に枢転軸が設けており、且つ篭蓋に形成された欠け口部で設けた係止ブロックの蓋ハンドルに応じる他端は蓋ハンドルの内側への傾斜角度を制限し定位し、上記の構成により、前記物置篭が回転できるので衣服を全面に乾燥できるとともに、前記物置篭は裏箱体から脱着自在であり、且つ開口部に対応する前記物置篭の何れか一の篭蓋は開けられるため、使用が極めて便利であることを特徴とする衣服乾燥装置であることを要旨としている。
【０００６】
　また、本願の考案では、前記篭蓋に設けた係合部の両側の軸接耳部には、蓋ハンドルの外側への傾斜角度を制限するためのストッパーが設けていることを特徴とする請求項１に記載の衣服乾燥装置であることを要旨としている。
【０００７】
　また、本願の考案では、前記篭蓋の欠け口部には、蓋ハンドルの内側への傾斜角度を制限するための係止ブロックが設けていることを特徴とする請求項１に記載の衣服乾燥装置であることを要旨としている。
【考案の効果】
【０００８】
この考案は次のような効果がある。
開閉するための上蓋の内部には裏箱体を有し、裏箱体内には脱着自在な物置篭が設けてあり、前記物置篭の一側には、裏箱体に設けたモータの能動素子と噛合うための受動素子が設けてあり、前記モータが物置篭を駆動し回転させて乾燥効果を向上し、なお、前記物置篭は連続に軸接し互いに係合した複数の簡潔な部材から構成されるため、定位効果が極めて安定で丈夫であり、そして開口部に対応する前記物置篭の何れか一の篭蓋は開けられるため、乾燥した衣服の取り出しが極めて便利である。
【考案を実施するための最良の形態】
【０００９】
　まず、図1から図７を参照する。この考案に係る衣服乾燥装置は、所定造形を有する装置本体１と、乾燥設備２と、所定体積を有する裏箱体３と、所定容積を有する物置篭４と、を含む。
【００１０】
前記装置本体１は、フロント本体１１と、リア本体１２と、底座１３と、から構成され、なお、フロント本体１１とリア本体１２を合わせて構成されたものの上端には開口部１４が形成してあり、リア本体１２の前記開口部１４に近接した箇所には上蓋１５が軸設してあり、前記上蓋１５は、開口部１４を完全にカバーしたり、フロント本体１１からリア本体１２へ旋回して開けたりすることができる。また、前記装置本体１の上に制御スイッチ１６が取付けてあり、且つ前記装置本体１のフロント本体１１の底座１３に近接した下端には引出式の集水盤１７が設けてあり、また、前記装置本体１におけるフロント本体１１とリア本体１２の間には複数の放熱領域１８が設けてある。
【００１１】
前記乾燥設備２は、前記装置本体１の底座１３の上に設置され、加熱素子２１と、前記加熱素子２１の後側に位置したモータ２２と、前記モータ２２の出力端と軸接したタービン羽根車２３と、加熱素子２１とタービン羽根車２３の間を覆い密封し且つ出口部２４１を有する保護カバー２４と、別々に加熱素子の両側に設置された殺菌ランプ２５及び安定器２６と、を含む。
【００１２】
前記裏箱体３は、装置本体１の上端に設け上蓋１５を有する開口部１４の内側に設置され、その両側の内壁にはそれぞれ溝３１１を設けた受け枠３１が設けてあり、且つ二受け枠３１の間には一物置篭４が設けてあり、なお、前記裏箱体３の受け枠３１及び放熱領域１８に近接した一側には一モータ３２が設けてあり、前記モータ３２の出力端は、裏箱体３の内部に挿入してギアを呈する能動素子３３と軸接し定位される。また、前記裏箱体３の底側に、装置本体１内に設けた乾燥設備２の保護カバー２４の出口部２４１に応じる箇所には入り口部３４が設けており、前記入り口部３４の周囲には傾斜した風案内蓋３５が設けている。
【００１３】
前記物置篭４は、二側板４１と、複数の篭蓋４２と、複数の蓋軸４３と、複数の蓋ハンドル４４と、から構成される。
前記二側板４１は、裏箱体３の受け枠３１に応じる箇所には軸接部４１１が設けており、且つ裏箱体３に設けたモータ３２の能動素子３３と噛合うように、裏箱体３に応じて設けた能動素子３３の軸接部４１１には受動素子４１２が設けてあり、前記受動素子４１２はギアであり、なお、裏箱体３に設けた受け枠３１の溝３１１に当接し止めるために二側板４１はそれぞれ軸接部４１１の軸接端を有し、これにより、物置篭４は裏箱体３と軸接状態を形成し、また、篭蓋４２の数量によって二側板４１の周縁には中空嵌接部４１３が等距離に置いて設けている。
【００１４】
前記複数の篭蓋４２は、網状体を呈し、その一端には軸接部４２１が形成してあり、前記軸接部４２１の中央部には欠け口部４２２が形成してあり、前記欠け口部４２２には係止ブロック４２３が設けてあり、なお、その他端には前記欠け口部４２２に応じる箇所に係合部４２４が設けており、前記係合部４２４の両端には軸接耳部４２５が設けてあり、なお、前記軸接耳部４２５の上にはストッパー４２６が設けている。
【００１５】
　前記複数の蓋軸４３は、その長さは二側板４１の厚さに篭蓋４２の幅を足した全長であり、別々に篭蓋４２の軸接部４２１内に取り付けられ、前記蓋軸４３の両端は別々に二側板４１に設けた中空嵌接部４１３に挿入し定位され、なお、蓋軸４３の篭蓋４２に設けた軸接部４２１の欠け口部４２２に位置する箇所は、次の篭蓋４２に設けた係合部４２４のそれと係合するために設けたものである。
【００１６】
複数の蓋ハンドル４４は、手が握れる造形を呈し、前記蓋ハンドル４４が篭蓋４２に設けた係合部４２４と係合し定位するために、篭蓋４２に設けた軸接耳部４２５に応じる箇所に枢転軸４４１が設けてあり、蓋ハンドル４４の軸接耳部４２５に設けたストッパー４２６に応じる一端により蓋ハンドル４４の外側への傾斜角度を制限し、且つ篭蓋４２に形成された欠け口部４２２で設けた係止ブロック４２３の蓋ハンドル４４に応じる他端は蓋ハンドル４４の内側への傾斜角度を制限し定位する。
【００１７】
前記装置本体１と、乾燥設備２と、裏箱体３と、物置篭４と、から構成された本考案の衣服乾燥装置は、構造が極めて簡潔で、乾燥設備２をオンにすると、熱は裏箱体３内に順調に伝導することができ、且つ裏箱体３に設けたモータ３２の回転によって能動素子３３を駆動して物置篭４に設けた受動素子４１２も回転され、そうすると、全体の物置篭４が回転し、乾燥設備２で発生した熱も物置篭４の周囲に充分に吸収され、乾燥効果が向上する。
【００１８】
また、物置篭４の結合方式について、前記物置篭４は裏箱体３から脱着自在な構成なため、本考案の衣服乾燥装置を長時期に使用すると、物置篭４を取り出して清掃したり定期保全したりすることができるので、乾燥効果を定期に回復することができ、且つ衣服乾燥装置及び物置篭４の使用寿命を延びることもできる。
また、前記物置篭４は複数の同様な寸法を持つ篭蓋４２から組立てて構成されたものなため、物置篭４が回転して停止すると、装置本体１の開口部１４に応じる何れか一の篭蓋も開けられるので、乾燥した衣服の取り出しが極めて便利である。
【図面の簡単な説明】
【００１９】
【図１】この考案に係る衣服乾燥装置の主な構成の分解概略図である。
【図２】この考案に係る衣服乾燥装置の全体の構成および上蓋を示す概略図である。
【図３】この考案に係る衣服乾燥装置内に設けた物置篭の部材を示す分解図である。
【図４】この考案に係る衣服乾燥装置の構成および上蓋を閉めた状態を示す側面断面図である。
【図５】図４における一部の拡大図である。
【図６】この考案に係る衣服乾燥装置の構成および上蓋を開けた状態を示す正面断面図である。
【図７】この考案に係る衣服乾燥装置と物置篭との上蓋が開けられた状態を示す側面断面図である。
【符号の説明】
【００２０】
１　　　　　装置本体　　　　　　　１１　　　　フロント本体
１２　　　　リア本体　　　　　　　１３　　　　底座
１４　　　　開口部　　　　　　　　１５　　　　上蓋
１６　　　　制御スイッチ　　　　　１７　　　　集水盤
１８　　　　放熱領域　　　　　　　２　　　　　乾燥設備
２１　　　　加熱素子　　　　　　　２２　　　　モータ
２３　　　　タービン羽根車　　　　２４　　　　保護カバー
２４１　　　出口部　　　　　　　　２５　　　　殺菌ランプ
２６　　　　安定器　　　　　　　　３　　　　　裏箱体
３１　　　　受け枠　　　　　　　　３１１　　　溝
３２　　　　モータ　　　　　　　　３３　　　　能動素子
３４　　　　入り口部　　　　　　　３５　　　　風案内蓋
４　　　　　物置篭　　　　　　　　４１　　　　側板
４１１　　　軸接部　　　　　　　　４１２　　　受動素子
４１３　　　中空嵌接部　　　　　　４２　　　　篭蓋
４２１　　　軸接部　　　　　　　　４２２　　　欠け口部
４２３　　　係止ブロック　　　　　４２４　　　係合部
４２５　　　軸接耳部　　　　　　　４２６　　　ストッパー
４３　　　　蓋軸　　　　　　　　　４４　　　　蓋ハンドル
４４１　　　枢転軸
【図１】
0003099978.tif 000003
【図２】
0003099978.tif 000004
【図３】
0003099978.tif 000005
【図４】
0003099978.tif 000006
【図５】
0003099978.tif 000007
【図６】
0003099978.tif 000008
【図７】
0003099978.tif 000009